(57)【要約】【課題】本考案は、磁気カード類に対する簡易なスキミング防止を施した極めて安価なコストで製造でき、例えば金融機関等がサービス促進用として配布するのに好適なように広告表示部を備えたスキミング防止を施したカード入れを提供する。【解決手段】本考案のスキミング防止を施したカード入れ１は、縦辺、横辺のいずれの１辺又は２辺に開口を有した袋状に形成されて磁気カード類２を収納するようにした収納部３と、その表面部４か裏面部５の両面又はいずれかの一面に施されて磁気カード類４に対するスキミング防止可能なステンレス材等の磁気防止素材、磁気遮断素材、電磁波遮断材からなる磁気遮断面６と、表面部４をはじめとするいずれかの面に形成した広告表示部７とを有して構成したことを特徴とするものである。【選択図】図３
0003123827.tif 000002
【実用新案登録請求の範囲】
【請求項１】
縦辺、横辺のいずれの１辺又は２辺に開口を有した袋状に形成されて磁気カード類を収納するようにした収納部と、その表面部か裏面部の両面又はいずれかの一面に施した磁気遮断面と、表面部をはじめとするいずれかの面に形成した広告表示部とを有して構成したことを特徴とするスキミング防止を施したカード入れ。
【請求項２】
前記収納部は、複数枚の磁気カード類を収納できるように構成されていることを特徴とする請求項１記載のスキミング防止を施したカード入れ。
【請求項３】
前記前記カード入れの収納部に施される磁気遮断面は、収納部の表面部か裏面部の両面又はいずれかの一面に、個別に形成した磁気遮断面を圧着、接着、溶着、蒸着、密着等の手段により固着したものであることを特徴とする請求項１又は２記載のスキミング防止を施したカード入れ。
【請求項４】
前記収納部の表面部か裏面部の両面又はいずれかの一面に固着される磁気遮断面は、収納部を形成する素材を挟むようにして、その内側と外側の両面に当該磁気遮断面を配置するようにして構成したものであることを特徴とする請求項１乃至３のいずれかに記載のスキミング防止を施したカード入れ。
【請求項５】
前記収納部の表面部か裏面部の両面又はいずれかの一面に固着される磁気遮断面は、収納部を形成する素材の内側か、外側のいずれか１面に当該磁気遮断面を配置するようにして構成したものであることを特徴とする請求項１乃至３のいずれかに記載のスキミング防止を施したカード入れ。
【請求項６】
前記カード入れの収納部に施される磁気遮断面は、収納部の表面部か裏面部の両面又はいずれかの一面のそれ自体を磁気遮断面でもって形成したものであることを特徴とする請求項１又は２記載のスキミング防止を施したカード入れ。
【請求項７】
前記カード入れの収納部に施される磁気遮断面は、このカード入れに収納される磁気カード類に対するスキミング防止可能なステンレス材等の磁気防止素材、磁気遮断素材、電磁波遮断材からなるものであることを特徴とする請求項１乃至６のいずれかに記載のスキミング防止を施したカード入れ。
【考案の詳細な説明】
【技術分野】
【０００１】
本考案は、スキミング防止を施したカード入れに関し、詳しくは、磁気カード類に対する簡易なスキミング防止を施した極めて安価なコストで製造でき、例えば金融機関等がサービス促進用として配布するのに好適なように広告表示部を備えたスキミング防止を施したカード入れに関するものである。
【背景技術】
【０００２】
従来、キャッシュカードやプリペードカード等の磁気カード類に対するスキミングが事犯が多発しているの実情である。すなわち、磁気カード類を財布等々に入れたまま、又はバック類や衣類のポケットに入れたままの状態で、外側から盗察、スキミングされてしまうことにより、カード保持者は、自らが全く知らないうちにカードの磁気情報を盗察されてカードを偽造される事件が多発している。
【０００３】
特許文献１には、少なくともカード収容部が片面に形成された主体部を有して構成されており、前記主体部におけるカード収容部を形成した面又はカード収容部を形成した面の反対側面には、鉛製シートとこの鉛製シートの少なくとも片面に備えた樹脂製シートとを具備した防護シートを備えたカード入れが提案されている。
【０００４】
しかし、特許文献１のカード入れの場合、鉛製シートとこの鉛製シートの少なくとも片面に備えた樹脂製シートとを具備した防護シートを備えた構成のカード入れであり、その製造コストがある程度高いもになってしまうことから、例えば金融機関等がサービス促進用として無料で配布するのには不適当なものである。
【０００５】
【特許文献１】登録実用新案第３１１１８６６号
【考案の開示】
【考案が解決しようとする課題】
【０００６】
本考案が解決しようとする問題点は、極めて安価なコストで製造でき、例えば金融機関等がサービス促進用として配布するのに好適な広告表示部を備えたようなスキミング防止を施したカード入れが従来存在しない点である。
【課題を解決するための手段】
【０００７】
本考案に係るスキミング防止を施したカード入れは、磁気カード類の収納部と、安価なコストで製造できる簡易なスキミング構成部と、例えば金融機関等がサービス促進用として配布するのに好適な広告表示部とを具備したことを最も主要な特徴とする。
【考案の効果】
【０００８】
本考案によれば、以下の効果を奏する。
すなわち、請求項１乃至７記載の各考案によれば、磁気カード類を財布等々に入れたままでも、又はバック類や衣類のポケットに入れたままの状態でも、当該カード類の磁気情報を外側から盗察、スキミングされる危険を事前に防止、回避することができるともに、磁気カード類に対する簡易なスキミング防止を施しつつ極めて安価なコストで製造でき、量産可能で、例えば金融機関等がサービス促進用として配布するのに好適なスキミング防止を施したカード入れを実現、提供することができる。
【考案を実施するための最良の形態】
【０００９】
本考案は、縦辺、横辺のいずれの１辺又は２辺に開口を有した袋状に形成されて磁気カード類２を収納するようにした収納部３と、その表面部４か裏面部５の両面又はいずれかの一面に施されて磁気カード類４に対するスキミング防止可能なステンレス材等の磁気防止素材、磁気遮断素材、電磁波遮断材からなる磁気遮断面６と、表面部４をはじめとするいずれかの面に形成した広告表示部７とを有する構成により実現した。
【実施例】
【００１０】
以下に、本考案の実施例に係るスキミング防止を施したカード入れについて図面を参照して詳細に説明する。
【００１１】
本実施例に係るスキミング防止を施したカード入れ1は、図１乃至図３に示すように磁気カード類２を収納するようにした収納部３と、その表面部４か裏面部５の両面又はいずれかの一面に施した磁気遮断面６と、表面部４をはじめとするいずれかの面に形成した広告表示部７とを有して構成されている。前記収納部３は、複数枚の磁気カード類２を収納できるように複数の袋状部分を有するように形成してもよい。
【００１２】
前記収納部３は、図１の例では横長片の部分の１辺が開口８とされていて、この開口８から磁気カード類２を出し入れするようになっている。
本考案においては、前記収納部３の形状、構造、縦・横のサイズを図示する例に限定するものではなく、図４に示すようにスキミング防止を施したカード入れ１Ａの例えば収納部３’を複数形成して磁気カード類２を複数枚収納できるような構成にしてもよい。
前記収納部３は、例えば縦６５ｍｍ×横９５ｍｍ×厚さ０．７ｍｍの袋状に形成されている。なお、本考案におけるカード入れ１の全体を形成する素材は、磁気カード２を出し入れし、これを保管するに適したものであれば、各種の素材を選ぶことができ、またその色彩についても限定するものではない。
【００１３】
また、前記収納部３の開口８は、図示例のように、１辺の開口構成の他、当該収納部３の縦・横の部分のいずれかの各１辺を開口して構成する場合の他、収納部３の縦・横の部分のいずれかの２辺開口（図示せず）して構成してもよい。
【００１４】
更に、カード入れ１の収納部３に施される磁気遮断面６は、カード入れ１に収納される磁気カード類４に対するスキミング防止可能な磁気防止素材、磁気遮断素材、電磁波遮断材、例えばステンレス材等からなり、収納部３の表面部４か裏面部５の両面又はいずれかの一面のそれ自体を磁気遮断面６でもって形成するか、或いは収納部３の表面部４か裏面部５の両面又はいずれかの一面に、個別に形成した磁気遮断面６を圧着、接着、溶着、蒸着、密着等の手段により固着するようにして形成されている。
前記収納部３の表面部４か裏面部５の両面又はいずれかの一面に固着等される磁気遮断面６は、収納部３を形成する素材を挟むようにして、その内側と外側の両面に当該磁気遮断面６を配置するようにして構成してもよく、また収納部３を形成する素材の内側か、外側のいずれか１面に当該磁気遮断面６を配置するようにして構成してもよい。
【００１５】
前記表面部４をはじめとするいずれかの面に形成した広告表示部７には、本考案のカード入れ１を例えば金融機関等がサービス促進用の一環として配布するような場合には、当該配布主体の広告記載部分となり、この面からも、本考案のカード入れ１は当該配布主体の広告宣伝に好適である。
なお、前記収納部３の表面部４か裏面部５のいずれかの一面を透明素材を用いて形成した場合、その内側に、このカード入れ１の配布主体の広告宣伝を記載、表示した適当な広告紙等を入れて配布等することが可能である。
【００１６】
このように構成した本実施例のスキミング防止を施したカード入れ1によれば、磁気カード類２を当該カード入れ１に収納した後においては、これを財布等々に入れたままでも、又はバック類や衣類のポケットに入れたままの状態でも、当該磁気カード類２の磁気情報を外側から盗察、スキミングされる危険を事前に防止、回避することができるともに、磁気カード類２に対する簡易なスキミング防止を施しつつ極めて安価なコストで製造できるため量産可能となり、前記広告表示部７による広告宣伝の作用と相まって、例えばこれを金融機関等がサービス促進用として配布するのに好適なスキミング防止を施したカード入れを実現できる。
【産業上の利用可能性】
【００１７】
本考案のスキミング防止を施したカード入れは、安価に製造でき量産可能であることから、例えば金融機関等がサービス促進用として無料配布するのに好適であるとともに、このカード入れ自体が通常のポケット形状であるので、これを身体につけても違和感がなく、磁気カード類のスキミング防止用として優れた利用効率を発揮できる。
【図面の簡単な説明】
【００１８】
【図１】本考案の実施例に係るスキミング防止を施したカード入れの表面図である。
【図２】本考案の実施例に係るスキミング防止を施したカード入れの図１の裏面図である。
【図３】本考案の実施例に係るスキミング防止を施したカード入れの図１のＡ―Ａ線拡大断面図である。
【図４】本考案の図１、図２とは異なる実施例に係るスキミング防止を施したカード入れの表面図である。
【符号の説明】
【００１９】
１    スキミング防止を施したカード入れ
１Ａ  スキミング防止を施したカード入れ
２    磁気カード類
３    収納部
３’  収納部
４    表面部
５    裏面部
６    磁気遮断面
７    広告表示部
８    開口
【図１】
0003123827.tif 000003
【図２】
0003123827.tif 000004
【図３】
0003123827.tif 000005
【図４】
0003123827.tif 000006